(57)【要約】【課題】保存形態の異なる複数の機器やフォーマットで保存されているデータを記録再生する場合に、それぞれ個別に保持している記録日時順に自動的に並べることを可能とする。【解決手段】一つ若しくは複数の機器で記録された一つ以上の動画データ及び一つ以上の静止画データを記録保存しているデータ保存手段と、動画データ及び静止画データを記録した記録日時や再生時間などの各種属性情報を取得するデータ属性取得手段と、再生する動画データの記録日時を随時監視して相応する時刻に記録された静止画データがないかを監視する再生時間監視手段と、前記再生時間監視手段の情報に基づいて動画データ及び静止画データの再生のタイミングを制御する再生順序制御手段と、前記再生順序制御手段の制御に基づいて前記データ保存手段より所望のデータを読み込むデータ読み出し手段と、読み込んだデータの再生を行う再生手段とを備える。【選択図】図１
2005259219.tif 000002
【特許請求の範囲】
【請求項１】
動画データ及び静止画データを記録した記録日時や再生時間などの各種属性情報を取得するデータ属性取得手段と、再生する動画データの記録日時を随時監視して相応する時刻に記録された静止画データがないかを監視する再生時間監視手段と、前記再生時間監視手段の情報に基づいて動画データ及び静止画データの再生のタイミングを制御する再生順序制御手段と、前記再生順序制御手段の制御に基づいて前記データ保存手段より所望のデータを読み込むデータ読み出し手段と、読み込んだデータの再生を行う再生手段とを備えることを特徴とするデータ記録再生装置。
【請求項２】
静止画データの属性を取得する際に、個々の静止画データの再生時間を設定する静止画再生時間設定手段を備え、前記データ属性取得手段において静止画の属性として再生時間を変更することを特徴とする請求項１に記載のデータ記録再生装置。
【請求項３】
静止画データの属性を取得する際に、個々の静止画データと同時に再生する音声データを設定する音声データ設定手段を備え、前記データ属性取得手段において静止画データの属性として音声データ属性を追加変更し、前記再生順序制御手段において当該静止画データの再生時に同時に音声データを再生するようにタイミングを制御することを特徴とする請求項１または２に記載のデータ記録再生装置。
【請求項４】
前記再生順序制御手段において各種動画データ及び静止画データの再生の順序をリスト形式でまとめた再生順序情報を作成し、再生順序情報に基づいて特定のフォーマットに変換記録する再生順序管理情報作成手段を備えたことを特徴とする請求項１から３に記載のデータ記録再生装置。
【請求項５】
動画データ及び静止画データの属性を取得する際に、動画データまたは静止画データの記録日時に関する属性を変更するデータ属性編集手段を備え、前記データ属性取得手段においてデータ属性編集手段からのデータ属性編集情報を元に、動画データ及び静止画データの属性として記録日時を変更することを特徴とする請求項４に記載のデータ記録再生装置。
【請求項６】
前記データ読み出し手段において読み出したデータを特定のフォーマットデータに変換するデータ変換手段と、その変換後の変換データ及び前記再生順序管理情報作成手段にて作成された再生順序管理情報を特定のメディアに記録するデータ記録手段を備えたことを特徴とする請求項４または５に記載のデータ記録再生装置。
【請求項７】
動画データ及び静止画データを記録した記録日時や再生時間などの各種属性情報を取得する第１ステップと、再生する動画データの記録日時を随時監視して相応する時刻に記録された静止画データがないかを監視する第２ステップと、前記第２ステップからの情報に基づいて動画データ及び静止画データの再生のタイミングを制御する第３ステップと、前記第３ステップの結果に基づいて前記記録媒体より所望のデータを読み込む第４ステップと、読み込んだデータの再生を行う第５ステップとを含むことを特徴とするデータ記録再生方法。
【請求項８】
静止画データの属性を取得する際に、個々の静止画データの再生時間を設定する第６ステップを備え、前記第１ステップにおいて静止画の属性として再生時間を変更することを特徴とする請求項７に記載のデータ記録再生方法。
【請求項９】
静止画データの属性を取得する際に、個々の静止画データと同時に再生する音声データを設定する第７ステップを備え、前記第１ステップにおいて静止画データの属性として再生時間を変更し、前記第３ステップにおいて当該静止画データの再生時に同時に音声データを再生するようにタイミングを制御することを特徴とする請求項７または８に記載のデータ記録再生方法。
【請求項１０】
前記第３ステップにおいて各種動画データ及び静止画データの再生の順序をリスト形式でまとめた再生順序情報を作成し、再生順序情報に基づいて特定のフォーマットに変換記録する第８ステップを備えたことを特徴とする請求項７から９に記載のデータ記録再生方法。
【請求項１１】
動画データ及び静止画データの属性を取得する際に、動画データまたは静止画データの記録日時に関する属性を変更する第９ステップを備え、前記第１ステップにおいて第９ステップの結果であるデータ属性編集情報を元に、動画データ及び静止画データの属性として記録日時を変更することを特徴とする請求項１０に記載のデータ記録再生方法。
【請求項１２】
前記第４ステップにおいて読み出したデータを特定のフォーマットデータに変換する第１０ステップと、その変換後の変換データ及び前記第８ステップにて作成された再生順序管理情報を特定のメディアに記録する第１１ステップを備えたことを特徴とする請求項１０または１１に記載のデータ記録再生方法。
【請求項１３】
動画データ及び静止画データを記録した記録日時や再生時間などの各種属性情報を取得する第１ステップと、再生する動画データの記録日時を随時監視して相応する時刻に記録された静止画データがないかを監視する第２ステップと、前記第２ステップからの情報に基づいて動画データ及び静止画データの再生のタイミングを制御する第３ステップと、前記第３ステップの結果に基づいて前記記録媒体より所望のデータを読み込む第４ステップと、読み込んだデータの再生を行う第５ステップを含むデータ記録再生方法の前記各ステップをコンピュータに実行させるプログラムを記録したコンピュータ読み取り可能な記録媒体。
【請求項１４】
動画データ及び静止画データを記録した記録日時や再生時間などの各種属性情報を取得する第１ステップと、再生する動画データの記録日時を随時監視して相応する時刻に記録された静止画データがないかを監視する第２ステップと、前記第２ステップからの情報に基づいて動画データ及び静止画データの再生のタイミングを制御する第３ステップと、前記第３ステップの結果に基づいて前記記録媒体より所望のデータを読み込む第４ステップと、読み込んだデータの再生を行う第５ステップを含むデータ記録再生方法の前記各ステップをコンピュータに実行させるデータ記録再生プログラム。
【発明の詳細な説明】
【技術分野】
【０００１】
本発明は、複数の動画データや静止画データ等を再生する際に、各種データの属性や記録日時の情報に応じて再生順を制御することが可能なデータ記録再生装置及び記録再生方法に関するものである。
【背景技術】
【０００２】
近年、各種デジタル機器の普及に伴い、様々な種類のフォーマットで記録された動画データや静止画データを保存するユーザが増えてきた。動画データには、映像や音声のデータ以外に、その映像がいつ記録されたかを示す、日時情報が埋め込まれている場合がある。例えばデジタルビデオカメラ等で記録した動画データには、映像フレームごとにその映像の記録日時を示す情報が埋め込まれている。また、静止画データにも、映像データ以外に、その映像がいつ記録されたかを示す、記録日時を示す情報が含まれている場合がある。例えばデジタルカメラ等で記録した静止画データには、記録日時を含む各種情報が含まれている。
【０００３】
このような複数のデータを再生する際、可能な限りユーザの望む順番で再生することが望まれる。あるいは、その再生する順番で特定の記録メディアに保存し、いつでもその順番で再生できるようにすることが望まれる。
【０００４】
ユーザの望む再生の順番としてはいろいろ考えられるが、例えば一例としてデータが記録された時間どおりの順番で再生できることがあげられる。そのためには各データの記録時間を適宜監視して、適切なデータ順にデータの読み込み及び再生を制御する必要がある（例えば特許文献１参照。）。
【０００５】
図１０は、複数の動画データや静止画データ等を再生する際に、各種データの属性や記録日時の情報に応じて再生順を制御することが可能な従来のデータ記録再生装置の一例を示したブロック図である。
【０００６】
図１１は、図１０  において用いられるデータのパケット及び時間管理情報の構成を示す図である。図１１においてチャンネル数、及びチャンネル番号とメディア（音声、画像、またはテキスト等）の対応付けなどの情報からなる管理情報と、タイムスタンプ、チャンネル番号、及び所定のデータからなるパケットから構成され、各パケットのタイムスタンプとチャンネル番号を対応付けた時間管理情報がそれとは別に用意される。
【０００７】
図１０  において、データ記録再生装置では、少なくとも所定の時刻を指定するタイムスタンプ、メディアの種類に対応したチャンネル番号、及びメディアに対応した所定の再生データからなるパケットのタイムスタンプとチャンネル番号より構成される時間管理情報を記憶する時間管理情報記憶手段と、メディアに優先順位を設定する優先順位設定手段と、再生用データを再生する前に時間管理情報記憶手段に記憶されている時間管理情報、または優先順位設定手段により設定された優先順位の少なくともいずれか一方に基づいてパケットの再生用データを再生する再生時刻をスケジューリングする再生時刻スケジューリング手段と、再生用データを再生する前に時間管理情報記憶手段に記憶されている時間管理情報、または優先順位設定手段により設定された優先順位の少なくともいずれか一方に基づいてパケットの再生用データを読み込む読み込み時刻をスケジューリングする再生データ読み込みスケジューリング手段と、この読み込み時刻に従って再生用データを読み込む読み込み手段と、この再生時刻に従って再生用データを再生する再生手段とを備えている。
【０００８】
以上のように構成されたデータ記録再生装置の動作について説明する。
【０００９】
データ記録再生装置では、時間管理情報記憶手段において各パケットより取得したタイムスタンプやチャンネル番号より構成される時間管理情報を記憶し、優先順位設定手段においてメディアに対応するチャンネルの優先順位を設定する。例えば、人間が鑑賞した場合に情報の欠落が認識されにくいメディアの優先順位を下げる（カラオケなどの場合は  音声＞画像（イメージ）＞テキスト）などの設定を行う。再生時刻スケジューリング手段において原則的にはタイムスタンプに記述されたものと同一になるようにスケジューリングするが、必要に応じて時間管理情報や優先順位の少なくともいずれか一方に基づいて再生時間をずらしたり、再生データを省いたりするなどのスケジューリングを行い、再生データ読み込みスケジューリング手段において適宜読み込み時刻を早めたり遅らせたりするなどして可能な限り再生に違和感が生じにくいように再生準備のスケジューリングを行い、読み込み手段において読み込み時刻に従って再生用データを読み込み、再生手段において再生時刻に従って再生用データの再生を行う。
【００１０】
しかしながら従来のデータ記録再生装置では、あらかじめメディアに記録されているパケットのタイムスタンプに従って再生をスケジューリングすることは可能であるが、異なるメディアやフォーマットで記録された複数のメディアの再生をスケジューリングすることができない。また、新たに再生したいデータを追加した場合、そのデータを再生する位置によっては全てのパケットのタイムスタンプの書き換えが必要といった課題を有していた。
【特許文献１】特開平０８−１９０４８８号公報（平８．７．２３）
【発明の開示】
【発明が解決しようとする課題】
【００１１】
解決しようとする問題点は、保存形態の異なる複数の機器やフォーマットで保存されているデータを記録日時の順に従って再生ができない点と、新たなデータの追加時にはそれ以外のデータの書き換えなどが生じてしまう点である。
【課題を解決するための手段】
【００１２】
本発明は、データの再生のスケジューリングにおいて、各種データの属性や時間情報を取得するデータ属性取得手段と、取得した属性や時間情報に基づいて動画データの再生時間を監視し次に再生すべき静止画の記録日時と比較する再生時間監視手段と、動画データ再生中に再生すべき静止画が存在する場合、動画データの再生を一時中断し、静止画データの再生を一定時間行った後、動画データの再生を再開する制御を行う再生順序制御手段を最も主要な特徴とする。
【発明の効果】
【００１３】
本発明のデータ記録再生装置及び記録再生方法は、各種別々に記録した動画データや静止画データが、撮影した順序どおりに再生ができるという利点がある。
【発明を実施するための最良の形態】
【００１４】
以下、本発明の実施形態について添付の図面を参照して説明する。なお、各図面において同一の符号は同一の構成要素または同様の作用、動作をなすものを表す。
【００１５】
（実施の形態１）
図１は、本発明装置の実施の形態１のデータ記録再生装置及び記録再生方法の構成を示すブロック図である。
【００１６】
図２は、図１において用いられる各種動画データ、静止画データ、及び時間管理情報の構成を示す図である。図２において複数の動画データ（＃１〜＃Ｎ）及び複数の静止画データ（＃１〜＃Ｍ）に対して、各動画データは映像及び音声データと記録日時情報等の属性情報から構成され、各静止画データは映像データと記録日時情報等の属性情報から構成され、これら動画データ及び静止画データの識別番号である動画データ番号及び静止画データ番号及び、それぞれの記録日時情報から構成される時間管理情報の関係を示している。
【００１７】
図１において、この  データ記録再生装置は  データ保存手段１１、データ属性取得手段１２、再生順序制御手段１３、データ読み出し手段１４、再生時間監視手段１５及び、再生手段１６を備える。
【００１８】
データ記録再生装置の各構成部材について説明する。まず、データ保存手段１１では、各種動画及び静止画データを記録保存しており、データ属性取得手段１２では、データ保存手段１１から読み込んだデータの各種属性（メディアの種別、記録日時情報など）を取得し、再生時間監視手段１５では、現在再生中の動画の記録日時に関する情報を監視しながら、次に再生予定の静止画の再生のタイミングにおいてその静止画データの属性情報を出力し、再生順序制御手段１３では、動画データ及び静止画データの再生順序を後述する図３のステップに従って決定し、データ読み出し手段１４では、再生順序制御手段１３にて決定されたデータの読み出し制御情報に従って、データ保存手段１１より必要なデータの読み込みを行い、再生手段１６では、読み出したデータの再生処理を行う。
【００１９】
なお、図の説明ではデータ保存手段を一つしか記載していないが、データ保存手段が複数あってもかまわない。例えば、データ保存手段が二つで、一つはハードディスク、もう一つはメモリカードといった異なる記録媒体に、それぞれ動画データや静止画データが保存されているといった構成でも対応が可能である。
【００２０】
次に、本発明に係るデータ記録再生装置について、図３用いて各処理をステップごとに分けて説明する。
（ａ）データ属性取得手段１２により、動画データ及び静止画データの記録日時などの属性情報を読み込む（Ｓ１０）。
（ｂ）次いで、再生順序制御手段１３により、動画データの記録日時に従って動画データの再生順序を並び替える（Ｓ１１）。
（ｃ）同じく、再生順序制御手段１３により、静止画データの記録日時に従って静止画データの再生順序を並び替える（Ｓ１２）。
（ｄ）次に動画データの総数（ＭＮｕｍ）及び静止画データの総数（ＳＮｕｍ）を設定し、初期値として現在再生中の動画データの識別ＩＤ（ＭＩｄ）及び静止画データの識別ＩＤ（ＳＩｄ）を０とする（Ｓ１３）。
（ｅ）動画データの識別ＩＤ（ＭＩｄ）が動画データの総数（ＭＮｕｍ）より小さい、且つ、静止画の識別ＩＤ（ＳＩｄ）が全静止画データの総数（ＳＮｕｍ）より小さい場合次のステップ（Ｓ１６）へ移り、それ以外の場合はステップ（Ｓ１５）へ移る、といった条件判定を行う（Ｓ１４）。
（ｆ）ステップ（Ｓ１４）により動画データ及び静止画データとも少なくとも一つ以上データが残っていると判定された場合、現在の静止画データの記録日時が現在の動画データの記録日時と比べて小さいかどうかを判定する（Ｓ１６）。
（ｇ）ステップ（Ｓ１６）での判定により、現在の静止画データの記録日時が現在の動画データの記録日時より大きい場合、動画データを静止画データの記録日時で示される時間に相当する位置まで再生する（Ｓ１７）。
（ｈ）次いで現在の動画データが最後まで再生されたかどうかを判定する（Ｓ１８）。
（ｉ）ステップ（Ｓ１８）にて動画データを最後まで再生したとは判定されなかった場合、現在の動画データの時間属性（記録日時）を静止画データの記録日時と同じ値に変更（Ｓ１９）し、ステップ（Ｓ１４）へ戻る。
（ｊ）ステップ（Ｓ１８）にて動画データを最後まで再生したと判定した場合、動画データ識別ＩＤ（ＭＩｄ）を１増やして更新（Ｓ２０）し、ステップ（Ｓ１４）へ戻る。
（ｋ）一方、ステップ（Ｓ１６）での判定により、現在の静止画データの記録日時が現在の動画データの記録日時に等しいか小さい場合、静止画データを一定期間再生（表示）する（Ｓ２１）。
（ｌ）次いで、静止画データ識別ＩＤ（ＳＩｄ）を１増やして更新（Ｓ２２）し、ステップ（Ｓ１４）へ戻る。
（ｍ）一方、ステップ（Ｓ１４）にて、残りのデータが動画データのみ、あるいは静止画データのみと判定された場合、残りのデータ（動画データまたは、静止画データ）を全て再生して（Ｓ１５）、処理を終了する。
【００２１】
以上の各ステップによって、複数の動画データや静止画データ等を再生する際に、各種データの属性や記録日時情報に応じて再生順を制御することができる。上述のデータ記録再生方法は、コンピュータプログラムとしても実行できる。
【００２２】
さらに、本実施の形態１のデータ記録再生装置及び記録再生方法の動作を図３の各ステップを参照しながら動作の説明を行う。
【００２３】
データ保存手段１１により、複数の動画データ及び静止画データ等の各種データが記録保存されており、ここからデータ属性取得手段１２によりこれら動画データや静止画データの記録日時などの属性情報を取得し、図２で示したような時間管理情報を作成する（Ｓ１０）。
【００２４】
次いで、再生順序制御手段１３により、動画データの記録日時に従って動画データの再生順序を並び替え（Ｓ１１）、同様に静止画データの記録日時に従って静止画データの再生順序を並び替え（Ｓ１２）、時間管理情報をそれに従って更新する。
【００２５】
また、動画データの総数及び静止画データの総数を設定し、現在再生中の動画データの識別ＩＤ及び静止画データの識別ＩＤの初期化を行う（Ｓ１３）。
【００２６】
再生順序制御手段１３により、次に再生すべきデータの中に動画データと静止画データがそれぞれ少なくとも一つ以上あるかどうかを判定する（Ｓ１４）。
【００２７】
再生時間監視手段１５により、現在再生中の動画データの記録日時と次に再生する静止画データの記録日時を比較監視する（Ｓ１６）
ステップ（Ｓ１６）にて、動画データの記録日時が静止画データの記録日時より小さい場合には、再生手段１６により、その時間まで動画データを再生し（Ｓ１７）、その結果動画データを最後まで再生したかを判定し（Ｓ１８）、最後まで再生していない場合には動画データの記録日時情報を静止画データの記録日時情報と同じ値に更新し（Ｓ１９）、ステップ（Ｓ１４）へ戻る。逆にステップ（Ｓ１８）にて最後まで再生したと判定した場合には、動画の識別ＩＤを更新して（Ｓ２０）、ステップ（Ｓ１４）へ戻る。
【００２８】
一方、ステップ（Ｓ１６）にて、動画データの記録日時が静止画データの記録日時より大きい場合には、再生順序制御手段１３により、動画データの再生を中断して、再生手段１６により、静止画データの再生を一定期間行い（Ｓ２１）、静止画データの識別ＩＤを更新して（Ｓ２２）、ステップ（Ｓ１４）へ戻る。
【００２９】
一方、ステップ（Ｓ１４）にて、残っているデータが動画データあるいは静止画データいずれかの一方のみと判定された場合は、残りのデータを全て再生し（Ｓ１５）、処理を終了する。
【００３０】
さらに、図４は、本発明装置の実施の形態１のデータ記録再生装置の上記動作により、実際の再生順序の結果の一例を示したブロック図である。
【００３１】
図４では、動画データが一つで、静止画データが二つ存在する場合の実際の再生の例を示している。再生中の動画データの記録日時と静止画データ＃１及び静止画データ＃２の記録日時を監視しながら、現在の動画の再生位置が静止画データ＃１の記録日時に相応する位置となった場合、動画データの再生を一旦中断し、静止画データ＃１の再生を一定期間行う（Ａ１）。その後動画データの続きから再生を再開する（Ａ２）。続いて現在の動画の再生位置が静止画データ＃２の記録日時に相応する位置となった場合、動画データの再生を一旦中断し、静止画データ＃２の再生を一定期間行う（Ａ３）。その後動画データの続きから再生を再開し（Ａ４）、残りの静止画データはないので、動画を最後まで再生して終了する。
【００３２】
なお、図４では一例として動画データが一つ、静止画データが二つの場合を示したが、それ以上の数の動画データ、及び静止画データが存在しても良い。
【００３３】
以上のように実施の形態１によれば、各種別々に記録した動画データや静止画データが複数存在した場合でも、撮影した順序どおりに再生することが可能である。
【００３４】
（実施の形態２）
図５は、本発明装置の実施の形態２のデータ記録再生装置及び記録再生方法の構成を示すブロック図である。
【００３５】
図５において、３１は静止画データを再生する時の再生時間を設定する  静止画再生時間設定手段であり、３０１は静止画再生時間設定手段３１にて設定された静止画の再生時間をあらわす静止画再生時間である。それ以外の符号で図１と同じ符号を有するものは同じ機能を有するので詳細な説明は省略する。
【００３６】
次に、以上のように構成された実施の形態２のデータ記録再生装置及び記録再生方法の動作を図５を用いて説明する。
【００３７】
データ属性取得手段１２によって、静止画データの各種属性（メディアの種別、記録日時情報など）を取得して、時間管理情報を作成する際に、静止画再生時間設定手段３１によりその静止画データの再生時間を設定することで、その静止画の再生時間の属性を更新し、再生順序制御手段１３によって、静止画データの再生（表示）を行う時は、時間管理情報に対応する静止画データの再生時間に従って、静止画データの再生（表示）を行う。その他は実施の形態１に記載の各処理と同じ手順であるので詳細な説明は省略する。
【００３８】
以上のように実施の形態２によれば、静止画の再生時間を個別に設定することで、特定の静止画の再生期間を長くしたり短くしたりすることが可能である。
【００３９】
（実施の形態３）
図６は、本発明装置の実施の形態３のデータ記録再生装置及び記録再生方法の構成を示すブロック図である。
【００４０】
図６において、４１は静止画データを再生する時に同時に再生する音声データを設定する音声データ設定手段であり、４０１は音声データ設定手段４１にて設定された静止画データと同時に再生する音声データに関する情報である音声データ情報である。それ以外の符号で図１と同じ符号を有するものは同じ機能を有するので詳細な説明は省略する。
【００４１】
次に、以上のように構成された実施の形態３のデータ記録再生装置及び記録再生方法の動作を図６を用いて説明する。
【００４２】
データ属性取得手段１２によって、静止画データの各種属性（メディアの種別、記録日時情報など）を取得して、時間管理情報を作成する際に、音声データ設定手段４１によりその静止画データに対応する音声データを設定することで、その静止画データの音声データに関する属性を更新し、再生順序制御手段１３によって、静止画データの再生（表示）を行う時は、音声データ情報に基づいて同時に音声データを再生して音声を出音しながら静止画データの再生（表示）を行う。その他は実施の形態１に記載の各処理と同じ手順であるので詳細な説明は省略する。
【００４３】
以上のように実施の形態３によれば、静止画に対応した音声データを個別に設定することで、特定の静止画の再生と同時に音声データを再生することが可能である。
【００４４】
（実施の形態４）
図７は、本発明装置の実施の形態４のデータ記録再生装置及び記録再生方法の構成を示すブロック図である。
【００４５】
図７において、５０１は再生順序制御手段１３において、動画データ及び静止画データの再生順序に関する情報である再生順序情報であり、５１は再生順序情報５０１に従って特定の再生順序管理フォーマットに変換し、再生順序管理情報ファイルを作成する再生順序管理情報作成手段である。それ以外の符号で図１と同じ符号を有するものは同じ機能を有するので詳細な説明は省略する。
【００４６】
次に、以上のように構成された実施の形態４のデータ記録再生装置及び記録再生方法の動作を図７を用いて説明する。
【００４７】
再生順序制御手段１３によって、動画データ及び静止画データの再生順序の制御を行うと同時にその再生順序に関する管理情報である再生順序情報５０１を作成し、再生順序管理情報作成手段５１によって、再生順序情報５０１に従って特定の再生順序管理フォーマット、例えばＤＶＤビデオレコーディング規格に規定された動画と静止画の再生管理情報などに変換し、その情報を再生順序管理情報ファイルとして作成、保存する。次回の再生からはこの作成した再生順序管理情報ファイルを再生順序制御手段１３において読み込み、それに従って動画データや静止画データの再生順序を制御することに利用する。その他は実施の形態１に記載の各処理と同じ手順であるので詳細な説明は省略する。
【００４８】
以上のように実施の形態４によれば、各種別々に記録した動画データや静止画データが複数存在した場合でも、撮影した順序どおりに再生するための再生順序管理情報ファイルを作成することで、次回からはこの情報ファイルを元に同じ順序で再生を行うことが可能である。
【００４９】
（実施の形態５）
図８は、本発明装置の実施の形態５のデータ記録再生装置及び記録再生方法の構成を示すブロック図である。
【００５０】
図８において、６１は動画データや静止画データの属性情報を変更したり追加したりする編集を行うデータ属性編集手段であり、６０１はデータ属性編集手段にて編集された動画データ及び静止画データのデータ属性編集情報である。それ以外の符号で図１及び図７と同じ符号を有するものは同じ機能を有するので詳細な説明は省略する。
【００５１】
次に、以上のように構成された実施の形態５のデータ記録再生装置及び記録再生方法の動作を図８を用いて説明する。
【００５２】
データ属性取得手段１２によって、動画データ及び静止画データの各種属性（メディアの種別、記録日時情報など）を取得して、時間管理情報を作成する際に、データ属性編集手段により対応する動画データまたは静止画データの属性をユーザが自由に設定する、例えば任意の動画データや静止画データの再生が先（または後）になるように記録日時などの属性情報を変更する等、再生の順序を自由に設定できるようにし、再生順序制御手段１３によって、ユーザが設定変更した属性（再生順序）に従って動画データ及び静止画データの再生順序の制御を行うと同時にその再生順序に関する管理情報である再生順序情報５０１を作成し、再生順序管理情報作成手段５１によって、再生順序情報５０１に従って特定の再生順序管理フォーマット、例えばＤＶＤビデオレコーディング規格に規定された動画と静止画の再生管理情報などに変換し、その情報を再生順序管理情報ファイルとして作成、保存する。次回の再生からはこの作成した再生順序管理情報ファイルを再生順序制御手段１３において読み込み、それに従って動画データや静止画データの再生順序を制御することに利用する。その他は実施の形態１及び実施の形態４に記載の各処理と同じ手順であるので詳細な説明は省略する。
【００５３】
以上のように実施の形態５によれば、各動画データ及び静止画データの属性情報を自由に編集することで、利用者の好みに合って自由に再生順序を指定することが可能で、次回からはこの情報ファイルを元に同じ順序で再生を行うことが可能である。
【００５４】
（実施の形態６）
図９は、本発明装置の実施の形態６のデータ記録再生装置及び記録再生方法の構成を示すブロック図である。
【００５５】
図９において、７０１はデータ読み出し手段１４により読み出された読み出しデータであり、７１は読み出しデータを特定のフォーマットに変換するデータ変換手段であり、７０２はデータ変換手段７１により変換された変換データであり、７０３は再生順序管理情報作成手段により作成された再生順序管理情報であり、７２は変換データ７０２及び再生順序管理情報７０３を特定のメディアに記録するデータ記録手段である。それ以外の符号で図１及び図７同じ符号を有するものは同じ機能を有するので詳細な説明は省略する。
【００５６】
次に、以上のように構成された実施の形態６のデータ記録再生装置及び記録再生方法の動作を図９を用いて説明する。
【００５７】
データ読み出し手段１４によって、決定された再生順序に従って読み出された読み出しデータを、データ変換手段７１において、特定のデータフォーマット、例えばＤＶＤビデオレコーディング規格に規定された動画データ及び静止画データのストリームデータに変換して変換データ７０２を出力し、再生順序管理情報作成手段５１によって作成された再生順序管理情報７０３及び変換データ７０２を特定のメディア、例えばＤＶＤビデオレコーディング規格に対応したＤＶＤ−ＲＡＭやＤＶＤ−ＲＷメディアに記録保存する。一旦メディアに記録したデータは、同フォーマットの同メディアに対応した他の再生機器またはソフトウェアであれば、同様の再生順序で再生することができる。
【００５８】
以上のように実施の形態６によれば、動画データや静止画データを特定のフォーマットに変換し、撮影した順序どおりに再生するための再生管理情報ファイルも同時に特定のメディアに記録することで、他の再生機器でそのメディアを再生すれば、同じ再生順序で再生することが可能である。
【００５９】
なお、本発明はコンピュータプログラムとして実現しても良い。また、電気通信回線または記録媒体等を介してそのプログラムを配布し、コンピュータを用いて本発明を実施することもできる。
【００６０】
上述の通り、本発明は好ましい実施形態により詳細に説明されるが、本発明はこれらに限定されるものではなく、特許請求の半家に記載された本発明の技術的範囲内において好ましい変形例及び修正例が可能であることは当業者にとって自明なことであろう。
【産業上の利用可能性】
【００６１】
本発明に係わるデータ記録再生装置及び記録再生方法は、データの再生のスケジューリングにおいて、各種データの属性や時間情報を取得するデータ属性取得手段と、取得した属性や時間情報に基づいて動画データの再生時間を監視し次に再生すべき静止画の記録日時と比較する再生時間監視手段と、動画データ再生中に再生すべき静止画が存在する場合、動画データの再生を一時中断し、静止画データの再生を一定時間行った後、動画データの再生を再開する制御を行う再生順序制御手段によって、各種別々に記録した動画データや静止画データが、撮影した順序どおりに再生が必要な用途にも適用できる。
【図面の簡単な説明】
【００６２】
【図１】本発明の実施の形態１に於けるデータ記録再生装置のブロック図
【図２】本発明の実施の形態１に於けるデータ記録再生装置で用いる管理情報の構成を示す図
【図３】本発明の実施の形態１に於けるデータ記録再生装置の動作を表すフローチャート
【図４】本発明の実施の形態１に於けるデータ記録再生装置の具体的な再生の一例を示す図
【図５】本発明の実施の形態２に於けるデータ記録再生装置の例を示すブロック図
【図６】本発明の実施の形態３に於けるデータ記録再生装置の例を示すブロック図
【図７】本発明の実施の形態４に於けるデータ記録再生装置の例を示すブロック図
【図８】本発明の実施の形態５に於けるデータ記録再生装置の例を示すブロック図
【図９】本発明の実施の形態６に於けるデータ記録再生装置の例を示すブロック図
【図１０】従来のデータ再生装置のブロック図
【図１１】従来のデータ再生装置で用いる管理情報の構成を示す図
【符号の説明】
【００６３】
１１    データ保存手段
１２    データ属性取得手段
１３    再生順序制御手段
１４    データ読み出し手段
１５    再生時間監視手段
１５    再生手段
３１    静止画再生時間設定手段
４１    音声データ設定手段
５１    再生順序管理情報作成手段
６１    データ属性編集手段
７１    データ変換手段
７２    データ記録手段
１０１Ａ    データファイル情報
１０１Ｂ    再生読み出しデータ
１０２Ａ    データ属性情報
１０２Ｂ    データ属性リスト情報
１０３    次期再生データ属性情報
１０４    読み出し制御情報
３０１    静止画再生時間
４０１    音声データ情報
５０１    再生順序情報
６０１    データ属性編集情報
７０１    読み出しデータ
７０２    変換データ
７０３    再生順序管理情報
【図１】
2005259219.tif 000003
【図２】
2005259219.tif 000004
【図３】
2005259219.tif 000005
【図４】
2005259219.tif 000006
【図５】
2005259219.tif 000007
【図６】
2005259219.tif 000008
【図７】
2005259219.tif 000009
【図８】
2005259219.tif 000010
【図９】
2005259219.tif 000011
【図１０】
2005259219.tif 000012
【図１１】
2005259219.tif 000013